(57)【要約】【課題】  経年変化によるプラスチック製ブラシ毛の劣化を改善して使用寿命を長くした自己修復プラスチック製ブラシ毛素材、自己修復プラスチック製ブラシ毛素材より形成されたブラシ具を提供する。【解決手段】  樹脂素材の中に該樹脂素材の傷を修復するための補修材を混ぜて自己修復プラスチック製ブラシ毛素材を成形した。【選択図】  図１
2005200455.tif 000002
【特許請求の範囲】
【請求項１】
樹脂素材の中に、該樹脂素材の傷を修復するための補修材が混ぜられてブラシ毛に成形されたことを特徴とする自己修復プラスチック製ブラシ毛素材。
【請求項２】
樹脂素材の中に、該樹脂素材の傷を修復するための補修材を混ぜ、さらにダイヤモンド砥粒、金属砥粒、その他の研磨砥粒の内の少なくとも１種類が混入されてブラシ毛に成形されたことを特徴とする請求項１記載の自己修復プラスチック製ブラシ毛素材。
【請求項３】
樹脂素材はポリフェニレン・エーテルや、ポリカーボネートであることを特徴とする請求項１又は２に記載の自己修復プラスチック製ブラシ毛素材。
【請求項４】
自己修復プラスチック製ブラシ毛素材の表面にダイヤモンド砥粒、金属砥粒、その他の研磨砥粒の内の少なくとも１種類が混入されていることを特徴とする請求項１〜３のいずれか１項に記載の自己修復プラスチック製ブラシ毛素材。
【請求項５】
自己修復プラスチック製ブラシ毛素材の表面にダイヤモンド砥粒、金属砥粒、その他の研磨砥粒の内の少なくとも１種類がコーティングされていることを特徴とする請求項１〜３のいずれか１項に記載の自己修復プラスチック製ブラシ毛素材。
【請求項６】
前記樹脂素材の中に、前記補修材と共に導電材が使用されていることを特徴とする請求項１〜５のいずれか１項に記載の自己修復プラスチック製ブラシ毛素材。
【請求項７】
前記樹脂素材の中に、前記補修材と共に形状記憶材が使用されていることを特徴とする請求項１〜６のいずれか１項に記載の自己修復プラスチック製ブラシ毛素材。
【請求項８】
前記ブラシ毛の先端を球状、先割れ、テーパー状の内の１つの形に形成されていることを特徴とする請求項１〜７のいずれか１項に記載の自己修復プラスチック製ブラシ毛素材。
【請求項９】
前記ブラシ毛の先端や中間などに樹脂、金属の内の少なくとも１つからなる多角形状の多角面体を取り付けたことを特徴とする請求項１〜８のいずれか１項に記載の自己修復プラスチック製ブラシ毛素材。
【請求項１０】
請求項１〜９のいずれか１項に記載の自己修復プラスチック製ブラシ毛素材の少なくとも１種類と、樹脂、金属、動物繊維、または植物繊維からなるブラシ毛の内の少なくとも１種類とが混毛されて形成されたブラシ具。
【発明の詳細な説明】
【技術分野】
【０００１】
本発明は、ワークの表面や内周面等を研磨処理したり、バリ取りをするための研磨や研削に使用される自己修復プラスチック製ブラシ毛素材、自己修復プラスチック製ブラシ毛素材より形成されたブラシ具に関するものである。本明細書において、その他の研磨砥粒とはダイヤモンド砥粒、金属砥粒以外の砥粒をいう。
【背景技術】
【０００２】
プラスチック製ブラシは、ブラシ毛の磨耗や劣化により使用寿命が短くなるものがあり、各種の改善がなされている。例えば、樹脂封止金型のクリーニング用ブラシは、ブラシ毛が植毛されているブラシ本体と、ブラシ本体の長手方向端部に連結されて、外方に延在した柄と、ブラシ本体の長手方向の両端部に柄との連結部とから構成されている。前記プラスチック製ブラシは、先端部のブラシ毛が摩耗した時、ブラシの前後を入れ替えて、摩耗していない側のブラシ毛を使用することで、使用寿命を長くしている。（例えば、特許文献１参照）
【特許文献１】特開２０００−１２５７９号公報
【発明の開示】
【発明が解決しようとする課題】
【０００３】
上記特許文献１に記載されたブラシは、先端部のブラシ毛が摩耗した時、ブラシの前後を入れ替えて、摩耗していない側のブラシ毛を使用することで、ブラシの使用寿命を長くできる。しかしながら、ブラシ毛は、使っていると傷んで細くなったり、長い期間使用していると経年変化により自然に割れたりして細くなることがある。前記のように細くなったブラシ毛は、折れて使用できなくなる。
【０００４】
プラスチック製ブラシ毛素材とそれにより形成した各種のプラスチック製ブラシ具は、このようにブラシ毛が経年変化により劣化して使用寿命が短くなってしまう場合、特許文献１に記載されたブラシのように、ブラシ毛の前後位置を入れ替えてもブラシ毛の劣化により使用寿命が短くなる状況に変わりはないので、改善が望まれていた。
【０００５】
また、特公平２−５１９２２号公報に記載されている（ポリエステル系ポリオールおよび／または、ポリカーボネート系ポリオールを主成分とする）架橋型ポリウレタン系樹脂シートは、架橋型ポリウレタン系樹脂の表面に傷が生じたとき、その傷が経時的に自然に消失する性質である自己修復性を有することが公知である。また、特開２００１−８１３０４号公報に記載されている自己修復性ポリフェニレンエーテル樹脂材料は、プラスチック（樹脂素材：ポリフェニレン・エーテル）の中に、前記樹脂素材の傷を修復するための補修材（Ｃｕ−アミン触媒及び水素供与能力を持つ有機化合物）を混ぜることにより、プラスチックの経年変化による劣化の傷を修復するものである。
【０００６】
本発明は、プラスチック製ブラシ毛が経年変化により劣化して使用寿命が短くなってしまうという課題を解決するもので、経年変化によるプラスチック製ブラシ毛の劣化を改善して使用寿命を長くした自己修復プラスチック製ブラシ毛素材、自己修復プラスチック製ブラシ毛素材より形成されたブラシ具を提供することを目的とする。
【０００７】
本明細書において、自己修復プラスチック製ブラシ毛素材とは、例えば、ポリエステル系ポリオールおよび／または、ポリカーボネート系ポリオールを主成分とする架橋型ポリウレタン系樹脂を成形したブラシ毛素材で、ブラシ毛素材の表面に傷が生じたとき、その傷が経時的に自然に消失する性質である自己修復性を有するものをいう。
【課題を解決するための手段】
【０００８】
上記課題を解決するために請求項１記載の発明は、樹脂素材の中に、該樹脂素材の傷を修復するための補修材が混ぜられてブラシ毛に成形されたことを特徴とする自己修復プラスチック製ブラシ毛素材である。
【０００９】
また、請求項２記載の発明は、樹脂素材の中に、該樹脂素材の傷を修復するための補修材を混ぜ、さらにダイヤモンド砥粒、金属砥粒、その他の研磨砥粒の内の少なくとも１種類が混入されてブラシ毛に成形されたことを特徴とする請求項１記載の自己修復プラスチック製ブラシ毛素材である。
【００１０】
また、請求項３記載の発明は、樹脂素材はポリフェニレン・エーテルや、ポリカーボネートであることを特徴とする請求項１または２に記載の自己修復プラスチック製ブラシ毛素材である。
【００１１】
また、請求項４記載の発明は、自己修復プラスチック製ブラシ毛素材の表面にダイヤモンド砥粒、金属砥粒、その他の研磨砥粒の内の少なくとも１種類が混入されていることを特徴とする請求項１〜３のいずれか１項に記載の自己修復プラスチック製ブラシ毛素材である。
【００１２】
また、請求項５記載の発明は、自己修復プラスチック製ブラシ毛素材の表面にダイヤモンド砥粒、金属砥粒、その他の研磨砥粒の内の少なくとも１種類がコーティングされていることを特徴とする請求項１〜３のいずれか１項に記載の自己修復プラスチック製ブラシ毛素材である。
【００１３】
また、請求項６記載の発明は、前記樹脂素材の中に、前記補修材と共に導電材が使用されていることを特徴とする請求項１〜５のいずれか１項に記載の自己修復プラスチック製ブラシ毛素材である。
【００１４】
また、請求項７記載の発明は、前記樹脂素材の中に、前記補修材と共に形状記憶材が使用されていることを特徴とする請求項１〜６のいずれか１項に記載の自己修復プラスチック製ブラシ毛素材である。
【００１５】
また、請求項８記載の発明は、前記ブラシ毛の先端を球状、先割れ、テーパー状の内の１つの形に形成されていることを特徴とする請求項１〜７のいずれか１項に記載の自己修復プラスチック製ブラシ毛素材である。
【００１６】
また、請求項９記載の発明は、前記ブラシ毛の先端や中間などに樹脂、金属の内の少なくとも１つからなる多角形状の多角面体を取り付けたことを特徴とする請求項１〜８のいずれか１項に記載の自己修復プラスチック製ブラシ毛素材である。
【００１７】
また、請求項１０記載の発明は、請求項１〜９のいずれか１項に記載の自己修復プラスチック製ブラシ毛素材の少なくとも１種類と、樹脂、金属、動物繊維、または、植物繊維からなるブラシ毛の内の少なくとも１種類とが混毛されて形成されたブラシ具である。
【発明の効果】
【００１８】
本発明の自己修復プラスチック製ブラシ毛素材は、樹脂素材の傷を修復するための補修材により経年変化による劣化を自己修復して、元の状態を回復する。また、自己修復プラスチック製ブラシ毛素材より形成されたブラシ具は、自己修復により劣化を防止できるブラシ毛を使用しているので、ワークの表面や内周面等を研磨処理したり、バリ取りをするための研磨や研削の際に、経年変化によりブラシ毛が劣化して使用寿命が短くなってしまうという事態が防止され、磨耗で使用できなくなるまで通常の使用が可能となるので使用寿命を大幅に改善できる。
【発明を実施するための最良の形態】
【００１９】
本発明は、ブラシ毛が経年変化により劣化して使用寿命が短くならないように、樹脂素材の中に、該樹脂素材の傷を修復するための補修材を混ぜ、射出成形によりブラシ毛にしたことを主要な特徴とする自己修復プラスチック製ブラシ毛素材と、自己修復プラスチック製ブラシ毛素材により形成されたチャンネルブラシ、捻りブラシ、筒型ブラシ、コイルブラシ、ロールブラシ、マスカラブラシ、歯ブラシ等のブラシ具である。
【実施例】
【００２０】
以下、実施例を示す図面に基づいて本発明を詳細に説明する。図１（ａ）〜（ｅ）は本発明の自己修復プラスチック製ブラシ毛素材を説明するための概略図である。
【００２１】
図１（ａ）において、自己修復プラスチック製ブラシ毛素材１ａは、樹脂素材の中に、該樹脂素材の傷を修復するための補修材が混ぜられて射出成形されてブラシ毛に成形されたものである。前記ブラシ毛は、樹脂素材がポリフェニレン・エーテル（ＰＰＥ）であれば、Ｃｕ−アミン触媒と水素が、前記樹脂素材（ＰＰＥ）の傷を修復するため補修材として作用する。ポリフェニレン・エーテルの自己修復作用については、
内田一路・南谷千城・武田邦彦の三名により高分子学会予稿集４８巻４号に発表された論文「題名：人工代謝材料の主鎖の切断により劣化したポリマーの自己代謝機構の研究」、
芝浦工業大学大学院工学研究科材料工学専攻武田研究室により１９９９年ポリマー材料フォーラムで発表された論文「題名：主鎖の切断により劣化したポリマーの自己修復機構の研究」
に記載されている。
【００２２】
前記論文には、樹脂素材の中に、該樹脂素材の傷を修復するための補修材が混ぜられて成形された場合、樹脂素材が自己修復作用を有するようになるということについて、「ポリフェニレン・エーテル（ＰＰＥ）の切断によるラジカルが水素供与体から水素を供与されて安定化し、Ｃｕ−アミン触媒が作用して修復が行われる。」という主旨の記載がある。なお、樹脂素材と補修材を組合せて、樹脂素材が自己修復作用を有する別の例として、樹脂素材にポリカーボネートを使用し、前記樹脂素材の傷を修復するため補修材として炭酸ソーダを作用させるものがある。
【００２３】
図１（ｂ）において、自己修復プラスチック製ブラシ毛素材１ｂは、樹脂素材の中に、前記樹脂素材の傷を修復するための補修材（ポリフェニレン・エーテルや、ポリカーボネート等）が混ぜられ、さらに、ダイヤモンド砥粒、金属砥粒、または、その他の研磨砥粒（前記のその他の研磨砥粒とは、例えば、シリコンカーバイド、アルミナ、セラミックス、セラミックスアルミナ、セラミック酸化アルミニウム、ジルコニア、ジルコニウム、アルミニウムトリハードライト、ボロンカーバイド、ボロンナイトライド、酸化セリウム、ガーネット、硬質ガラス、水晶などの内の少なくとも一種類をいう。）の内の少なくとも１種類（図ではダイヤモンド砥粒１１とその他の研磨砥粒１３）が混入されたものが射出成形によりブラシ毛に成形されたものである。
【００２４】
図１（ｃ）において、自己修復プラスチック製ブラシ毛素材１ｃは、自己修復プラスチック製ブラシ毛素材１ａの表面に、ダイヤモンド砥粒１１、金属砥粒１２、または、その他の研磨砥粒１３の内の少なくとも１種類（図ではダイヤモンド砥粒１１と金属砥粒１２）が混入されているか、または、自己修復プラスチック製ブラシ毛素材１ａの表面に、コーティングされているものである。前記コーティングは、塗布、メッキ、溶着等により行われる。
【００２５】
上記の自己修復プラスチック製ブラシ毛素材１ａ〜１ｃは、帯電され易いので、前記帯電された静電気を除去できるように、導電材が使用されている。即ち、前記自己修復プラスチック製ブラシ毛素材１ａ〜１ｃは、導電材が中に、混入された状態で成形されたり、成形後に導電材を前記自己修復プラスチック製ブラシ毛素材１ａ〜１ｃの表面に混入させたり、コーティングされる。
【００２６】
図１（ｄ）（ｅ）に示す自己修復プラスチック製ブラシ毛素材１ｄ、１ｅは、形状記憶材が使用されている。即ち、図１（ｄ）において、自己修復プラスチック製ブラシ毛素材１ｄは、形状記憶合金線４ａを心材として、その表面に自己修復プラスチック製ブラシ毛素材が成形されたものである。この自己修復プラスチックブラシ毛素材は、ダイヤモンド砥粒１１、金属砥粒１２、または、その他の研磨砥粒１３が全く混入されないで成形されても良いが、図１（ｄ）のようにダイヤモンド砥粒１１、金属砥粒１２、または、その他の研磨砥粒１３の内の少なくとも１種類（図ではダイヤモンド砥粒１１）が混入されて成形されても良い。
【００２７】
また、図１（ｅ）において、自己修復プラスチック製ブラシ毛素材１ｅは、自己修復プラスチック製ブラシ毛素材１ａと１ｂの少なくとも１種類に形状記憶合金線４ｂが混毛されて形成されたもので、撚り合せて太い線状に形成されている。
【００２８】
図２は図１の（ａ）〜（ｅ）の自己修復プラスチック製ブラシ毛素材の断面形状の例を示す概略図である。図１の（ａ）〜（ｅ）の実施例の自己修復プラスチック製ブラシ毛素材１ａ〜１ｅは、断面形状が丸形のものについて図示したが、この他にも、図２で示すように三角形２２、四角形２３、六角形２４、八角形２５等の多角形、楕円形２６、十字形２７、瓢箪のようなメガネ形２８、四葉のクローバ形２９（または、図示しない三つ葉クローバ形）に成形しても良い。
【００２９】
図３〜図５は図１（ａ）〜（ｅ）の自己修復プラスチック製ブラシ毛素材の端部の形状の例を示す概略図である。図１（ａ）〜（ｅ）において、自己修復プラスチック製ブラシ毛素材１ａ〜１ｅは、両端までの断面形状が同一のものについて説明した。しかし、この他にも、図１（ａ）〜（ｅ）に示される実施例の自己修復プラスチック製ブラシ毛素材１ａ〜１ｅの端部形状は、図３（ａ）で示すように一端だけが他の部分より径の大きな球状３０に形成された自己修復プラスチック製ブラシ毛素材３１であったり、または、図３（ｂ）で示すように両端が他の部分より径の大きな球状３０に形成された自己修復プラスチック製ブラシ毛素材３２であっても良い。
【００３０】
また、図１（ａ）〜（ｅ）の実施例の自己修復プラスチック製ブラシ毛素材１ａ〜１ｅの端部の形状は、図４（ａ）（ｂ）で示すように一端または両端が先割れ状４０ａ，４０ｂに形成された形状の自己修復プラスチック製ブラシ毛素材４１，４２であっても良いし、図５（ａ）（ｂ）で示すように一端または両端がテーパ状５０ａ，５０ｂに形成された自己修復プラスチック製ブラシ毛素材５１，５２であっても良い。
【００３１】
図６（ａ），（ｂ）は、ブラシ毛の先端に金属粘土素材を取付けて燒結して形成した自己修復プラスチック製ブラシ毛素材の例を示す概略図である。図６（ａ）において、自己修復プラスチック製ブラシ毛素材６１は、片側一端６１ａに球状の金属粘土素材（純金属または合金の１種以上からなる金属微粉末と有機系バインダと水等を混練してなる）６５が取付けられて電気炉、電子レンジ、バーナーにて焼結される際に、有機系バインダと水が除去されて燒結金属に形成されたもので、金属粘土素材６５の中には、ダイヤモンド砥粒１１、金属砥粒１２、または、その他の研磨砥粒１３の内の少なくとも１種類（図ではその他の研磨砥粒１３）が混入されている。
【００３２】
また、図６（ｂ）において、自己修復プラスチック製ブラシ毛素材６２は、一端６２ａに球状の金属粘土素材６５が取付けられ、また、他端６２ｂに球状の金属粘土素材６４が取付けられて電気炉、電子レンジ、バーナーにて焼結される。自己修復プラスチック製ブラシ毛素材６２は、前記焼結において、有機系バインダと水が除去されて燒結金属が形成されるもので、金属粘土素材６４、６５の中には、ダイヤモンド砥粒１１、金属砥粒１２、または、その他の研磨砥粒１３の内の少なくとも１種類が混入されている。図６（ｂ）では金属粘土素材６４の中に金属砥粒１２が混入され、金属粘土素材６５の中にその他の研磨砥粒１３が混入されている。
【００３３】
図７（ａ）〜（ｃ）は、各面が多角形状の多角面体である金属粘土素材の概略図である。自己修復プラスチック製ブラシ毛素材６１、６２の端部に取付けられた金属粘土素材６５は、高温加熱されて燒結金属になる。図７（ａ）において、燒結金属７１の形状は、外周面の各面が三角形７１ａをした四面体である。また、図７（ｂ）において、燒結金属７２の形状は、外周面の各面が四角形７２ａの六面体である。また、図７（ｃ）において、燒結金属７３の形状は、外周面の各面が三角形７３ａ、四角形７３ｂなどの数種の多角形が各面に混在する多角面体（図では三角形７３ａ、四角形７３ｂが各面に混在する多角面体）である。
【００３４】
図６において、自己修復プラスチック製ブラシ毛素材６１、６２の端部に、金属粘土素材６５が取付けられて燒結された例を説明した。しかし、金属粘土素材６５は、自己修復プラスチック製ブラシ毛素材６１、６２の端部に取り付けられるとは限らず、中間の位置に取り付けられて燒結金属に形成されていても良い。さらに、自己修復プラスチック製ブラシ毛素材６１、６２の端部には、金属粘土素材６５に代えて、樹脂が自己修復プラスチック製ブラシ毛素材６１、６２の端部、または中間の位置に取り付けられた構成となっていても良い。
【００３５】
図８（ａ）〜（ｆ）、図９（ａ）〜（ｆ）は、自己修復プラスチック製ブラシ毛素材にて形成したブラシ具の斜視図である。以下に、自己修復プラスチック製ブラシ毛素材にて形成した各種のブラシ具について説明する。
【００３６】
図８（ａ）において、チャンネルブラシ８２は、図１（ａ）〜（ｅ）の各種の自己修復プラスチック製ブラシ毛素材１ａ〜１ｅの少なくとも１種類を組み合せたブラシ毛８１にて形成されている。図８（ｂ）において、捻りブラシ８３は、ブラシ毛８１で形成されている。図８（ｃ）において、筒型ブラシ８４は、シャンク８４ａが同軸に固定された筒８４ｂに、ブラシ毛８１が埋設されて形成されている。図８（ｄ）において、コイルブラシ８５は、図８（ａ）のチャンネルブラシ８２がコイル状に取付けられて形成されている。図８（ｅ）において、カップブラシ８６は、シャンク８６ａが同軸に固定された円盤８６ｂに、図８（ａ）のチャンネルブラシ８２が環状に取付けられて形成されている。図８（ｆ）において、マスカラブラシ８７は、図８（ｂ）の捻りブラシ８３が支持棒８７ａに取付けられて形成されている。
【００３７】
図９（ａ）において、チャンネルブラシ９２は、図３（ａ）（ｂ）の自己修復プラスチック製ブラシ毛素材３１，３２の少なくとも１種類を組み合せたブラシ毛９１にて形成されている。図９（ｂ）において、捻りブラシ９３は、ブラシ毛９１で形成されている。図９（ｃ）において、筒型ブラシ９４は、シャンク９４ａが同軸に固定された筒９４ｂに、ブラシ毛９１が埋設されて形成されている。図９（ｄ）において、コイルブラシ９５は、図９（ａ）のチャンネルブラシ９２がコイル状に形成されている。図９（ｅ）において、カップブラシ９６は、シャンク９６ａが同軸に固定された円盤９６ｂに、図９（ａ）のチャンネルブラシ９２が環状に取付けられて形成されている。図９（ｆ）において、ロールブラシ９７は、シャフト９７ａに図９（ａ）のチャンネルブラシ９２が巻付けられて形成されている。
【００３８】
図１０は図１の自己修復プラスチック製ブラシ毛素材にて形成したロールブラシの斜視図、図１１は図１の自己修復プラスチック製ブラシ毛素材にて形成した歯ブラシの斜視図である。図１０において、車洗浄用のロールブラシ１０２は、図１（ａ）〜（ｅ）に示される各種の自己修復プラスチック製ブラシ毛素材１ａ〜１ｅの内の少なくとも１種類のブラシ毛１０１にて形成されている。図１１において、植込みブラシ（歯ブラシ）１１２は、図１（ａ）〜（ｅ）に示される各種の自己修復プラスチック製ブラシ毛素材１ａ〜１ｅの内の少なくとも１種類のブラシ毛１１１にて形成されている。
【産業上の利用可能性】
【００３９】
このように本発明の自己修復プラスチック製ブラシ毛素材、自己修復プラスチック製ブラシ毛素材より形成されたブラシ具は、経年変化によりプラスチック製ブラシ毛が劣化して使用寿命が短くなってしまうという事態が防止され、長期の使用が可能であるため、ワークの表面や内周面等を研磨処理したり、バリ取りをするための研磨や研削に使用できる。
【図面の簡単な説明】
【００４０】
【図１】（ａ）〜（ｅ）は本発明の自己修復プラスチック製ブラシ毛素材を説明するための概略図である。
【図２】図１の（ａ）〜（ｅ）の自己修復プラスチック製ブラシ毛素材１ａ〜１ｅの断面形状の例を示す概略図である。
【図３】（ａ），（ｂ）は、図１（ａ）〜（ｅ）の自己修復プラスチック製ブラシ毛素材の端部の形状の例を示す概略図である。
【図４】（ａ），（ｂ）は、図１（ａ）〜（ｅ）の自己修復プラスチック製ブラシ毛素材の端部の形状の例を示す概略図である。
【図５】（ａ），（ｂ）は、図１（ａ）〜（ｅ）の自己修復プラスチック製ブラシ毛素材の端部の形状の例を示す概略図である。
【図６】（ａ），（ｂ）は、ブラシ毛の先端に金属粘土素材取付けて燒結して形成した自己修復プラスチック製ブラシ毛素材の例を示す概略図である。
【図７】（ａ）〜（ｃ）は、各面が多角形状の多角面体である金属粘土素材の概略図である。
【図８】（ａ）〜（ｆ）は自己修復プラスチック製ブラシ毛素材にて形成した製品の斜視図である。
【図９】（ａ）〜（ｆ）は自己修復プラスチック製ブラシ毛素材にて形成した製品の斜視図である。
【図１０】図１の自己修復プラスチック製ブラシ毛素材にて形成したロールブラシの斜視図である。
【図１１】図１の自己修復プラスチック製ブラシ毛素材にて形成した歯ブラシの斜視図である。
【符号の説明】
【００４１】
１ａ〜１ｅ，３１，３２，４１，４２，５１，５２，６１，６２  自己修復プラスチック製ブラシ毛素材
４ａ，４ｂ  形状記憶合金線
１１  ダイヤモンド砥粒
１２  金属砥粒
１３  その他の研磨砥粒
２２  三角形
２３  四角形
２４  六角形
２５  八角形
２６  楕円形
２７  十字形
２８  メガネ形
２９  クローバ形
３０  球状
４０ａ，４０ｂ  先割れ状
５０ａ，５０ｂ  テーパ状
６１ａ，６２ａ  一端
６２ｂ  他端
６４，６５  金属粘土素材
７１〜７３  燒結金属
７１ａ，７３ａ  三角形
７２ａ，７３ｂ  四角形
８１，９１，１０１，１１１  ブラシ毛
８２，９２  チャンネルブラシ
８３，９３  捻りブラシ
８４，９４  筒型ブラシ
８４ａ，８６ａ，９４ａ，９６ａ  シャンク
８４ｂ，９４ｂ  筒
８５，９５  コイルブラシ
８６，９６  カップブラシ
８６ｂ，９６ｂ  円盤
８７  マスカラブラシ
８７ａ  支持棒
９７，１０２  ロールブラシ
９７ａ  シャフト
１１２  植込みブラシ（歯ブラシ）
【図１】
2005200455.tif 000003
【図２】
2005200455.tif 000004
【図３】
2005200455.tif 000005
【図４】
2005200455.tif 000006
【図５】
2005200455.tif 000007
【図６】
2005200455.tif 000008
【図７】
2005200455.tif 000009
【図８】
2005200455.tif 000010
【図９】
2005200455.tif 000011
【図１０】
2005200455.tif 000012
【図１１】
2005200455.tif 000013